(57)【要約】【課題】  費用、時間、手間をかけることなく、誰でも簡単にネイルアートを一時的に隠すことができ、しかも必要な時にはネイルアートを再度使用することを可能とするネイルシールを提供すること。【解決手段】  カバー層２と、粘着層４と、を備え、粘着層４の粘着力が６．９（Ｎ／２５ｍｍ）以上１８．８（Ｎ／２５ｍｍ）以下であり、カバー層２の表面が非光沢な表面であるとともに、カバー層２の表面が下記（ｘ）ないし（ｚ）の条件を満たす色に着色されているネイルアート隠蔽用のネイルシール１。（ｘ）マンセル表色系における色相が赤（Ｒ）、黄赤（ＹＲ）または黄（Ｙ）に属すること。（ｙ）マンセル表色系における明度が５以上８．５以下であること。（ｚ）マンセル表色系における彩度が１．５以上５以下であること。【選択図】  図１Ｂ
0003222170.tif 000002
【実用新案登録請求の範囲】
【請求項１】
爪の形状を平面展開させた形状に形成され、爪の表面に貼付して用いるネイルシールであって、
カバー層と、
前記カバー層の裏面側に配置される粘着層と、を備え、
前記粘着層のＪＩＳＫ６８５４−２に準拠して測定される粘着力が、６．９（Ｎ／２５ｍｍ）以上１８．８（Ｎ／２５ｍｍ）以下であることを特徴とするネイルアート隠蔽用のネイルシール。
【請求項２】
前記粘着層のＪＩＳＫ６８５４−２に準拠して測定される粘着力が、６．９（Ｎ／２５ｍｍ）以上１２．７５（Ｎ／２５ｍｍ）以下であることを特徴とする請求項１に記載のネイルアート隠蔽用のネイルシール。
【請求項３】
前記カバー層の表面が非光沢な表面であるとともに、
前記カバー層の表面が下記（ｘ）ないし（ｚ）の条件を満たす色に着色されていることを特徴とする請求項１又は請求項２に記載のネイルアート隠蔽用のネイルシール。
（ｘ）マンセル表色系における色相が赤（Ｒ）、黄赤（ＹＲ）または黄（Ｙ）に属すること。
（ｙ）マンセル表色系における明度が５以上８．５以下であること。
（ｚ）マンセル表色系における彩度が１．５以上７．５以下であること。
【請求項４】
前記カバー層の表面が、ＪＩＳ慣用色名に言う、シェルピンク、ネールピンク、ピーチ、肌色、アプリコット、タン、エクルベイジュ、土色、小麦色、こはく色、卵色、ベージュ、黄土色、カーキー、ブロンド、象牙色およびネープルスイエローからなる群より選択されるいずれか１色に着色されていることを特徴とする請求項１ないし請求項３に記載のネイルアート隠蔽用のネイルシール。
【請求項５】
前記カバー層の表面が、ＪＩＳ慣用色名に言う、ネールピンク、ピーチおよび肌色からなる群より選択されるいずれか１色に着色されていることを特徴とする請求項１ないし請求項３に記載のネイルアート隠蔽用のネイルシール。
【請求項６】
前記カバー層の表面が、ＪＩＳ慣用色名に言う、アプリコット、タン、土色、小麦色、こはく色および黄土色からなる群より選択されるいずれか１色に着色されていることを特徴とする請求項１ないし請求項１ないし請求項３に記載のネイルアート隠蔽用のネイルシール。
【考案の詳細な説明】
【技術分野】
【０００１】
本考案は、爪の表面に貼付して用いるネイルシールの技術分野に属する。具体的には、ネイルアートを一時的に隠蔽するために用いられるネイルアート隠蔽用のネイルシールに関するものである。
【背景技術】
【０００２】
近年、女性の間では、爪の表面に彩色や装飾を施すネイルアートを行うことが一般的になってきた。このネイルアートを簡易に実現する手段として、ネイルシールが知られている。ネイルシールは、予め彩色や装飾が施された爪形状のシールである。このネイルシールは、爪の表面に貼付するという極めて簡単な作業のみで、ネイルアートと同様の効果を得ることができるため便利である。
【０００３】
ネイルシールについては、例えば、離型シートの表面上に、指の爪に貼付するための爪形状を有する装飾貼付体を個々に独立して剥離可能に設けたネイルシールが提案されている（特許文献１）。
【先行技術文献】
【特許文献】
【０００４】
【特許文献１】特許第４３２４２４１号公報
【考案の概要】
【考案が解決しようとする課題】
【０００５】
ところで、ネイルアートは女性の華やかさを演出するために必要不可欠なアイテムではあるものの、時や場所、状況によってはその華やかさがそぐわない場面も存在する。例えば、職場や弔事の席においては、ネイルアートが華美な装いと受け取られ、周りの人達の心象を害する事態もあり得る。
【０００６】
このような場合の対応策としては、（１）ネイルアートを一旦除去する（ネイルオフ）、（２）ネイルアートに目立たない色のマニキュアを上塗りする（オーバーコート）等の方法が考えられる。しかし、これらの方法はいずれもネイルアート利用者の要望に合致したものではなかった。
【０００７】
まず、ネイルオフする方法には、以下のような問題点があった。
（ａ）まだ十分に使用することができるはずのネイルアートが使用不能となり、ネイルアートを施すために使った費用、時間、手間が無駄になる。
（ｂ）例えば職場に勤務している時間帯だけ、一時的にネイルアートを隠し、退勤後に再びネイルアートを露出させたいという要望には応えられない。
（ｃ）ネイルオフ後に再度、ネイルアートを楽しみたい場合には、新たにネイルアートを施さなければならず、費用、時間、手間が二重にかかる。
（ｄ）希望する時間帯にネイルサロンの予約を取れない場合には、ネイルオフすることができない。
（ｅ）ネイルサロンに頼らず、自らネイルオフする方法も考えられるが、適切な方法で行わないと爪を痛めるおそれがある。
【０００８】
また、オーバーコートした場合には、以下のような問題があった。
（ｆ）マニキュアの色やネイルアートの種類によっては、ネイルアートを十分に隠すことができない。
（ｇ）ネイルアートの種類によっては、上塗りしたマニキュアをリムーブする際に、ネイルアートも剥がれてしまい、ネイルオフする方法と同様の問題を生ずる（前記問題点ａ，ｂ，ｃ等）。
（ｈ）マニキュアが完全に乾燥するまでには１時間以上かかるため、その間は自由に行動することができない。
【０００９】
本考案は、前記のような従来技術が有する課題を解決するものである。即ち、本考案は、費用、時間、手間をかけることなく、誰でも簡単にネイルアートを一時的に隠すことができ、しかも必要な時には、ネイルアートを再度使用することを可能とするネイルシールを提供するものである。
【課題を解決するための手段】
【００１０】
本考案者らは、前記従来技術の課題を解決すべく鋭意検討を重ねた結果、（１）本来、爪の彩色や装飾に用いられるネイルシールを、ネイルアートを一時的に隠蔽する用途に用いること、（２）ネイルシールの粘着層の粘着力を精密に制御すること、（３）ネイルシール表面の光沢や色彩を極めて限定的な範囲に調整すること、によって、前記課題を解決し得ることを見出し、本考案を完成するに至った。即ち、前記課題は、以下に示す本考案によって解決される。
【００１１】
本考案のネイルシールは、爪の形状を平面展開させた形状に形成され、爪の表面に貼付して用いるネイルシールであって、カバー層と、前記カバー層の裏面側に配置される粘着層と、を備え、前記粘着層のＪＩＳＫ６８５４−２に準拠して測定される粘着力が６．９（Ｎ／２５ｍｍ）以上１８．８（Ｎ／２５ｍｍ）以下であり、前記カバー層の表面が非光沢な表面であるとともに、前記カバー層の表面が下記（ｘ）ないし（ｚ）の条件を満たす色に着色されていることを特徴とする。
（ｘ）マンセル表色系における色相が赤（Ｒ）、黄赤（ＹＲ）または黄（Ｙ）に属すること。
（ｙ）マンセル表色系における明度が５以上８．５以下であること。
（ｚ）マンセル表色系における彩度が１．５以上７．５以下であること。
【００１２】
本考案のネイルシールは、
前記粘着層のＪＩＳＫ６８５４−２に準拠して測定される粘着力が６．９（Ｎ／２５ｍｍ）以上１２．７５（Ｎ／２５ｍｍ）以下であること；
前記カバー層の表面が、ＪＩＳ慣用色名に言う、シェルピンク、ネールピンク、ピーチ、肌色、アプリコット、タン、エクルベイジュ、土色、小麦色、こはく色、卵色、ベージュ、黄土色、カーキー、ブロンド、象牙色およびネープルスイエローからなる群より選択されるいずれか１色に着色されていること；
前記カバー層の表面が下記（ｘ１）ないし（ｚ１）の条件を満たす色に着色されていること。
（ｘ１）マンセル表色系における色相が１０Ｒから５ＹＲに属すること。
（ｙ１）マンセル表色系における明度が８であること。
（ｚ１）マンセル表色系における彩度が３．５以上５以下であること。；
前記カバー層の表面が、ＪＩＳ慣用色名に言う、ネールピンク、ピーチおよび肌色からなる群より選択されるいずれか１色に着色されていること；
前記カバー層の表面が下記（ｘ２）ないし（ｚ２）の条件を満たす色に着色されていること。
（ｘ２）マンセル表色系における色相が６ＹＲから１０ＹＲに属すること。
（ｙ２）マンセル表色系における明度が５以上７以下であること。
（ｚ２）マンセル表色系における彩度が５以上７以下であること。；
前記カバー層の表面が、ＪＩＳ慣用色名に言う、アプリコット、タン、土色、小麦色、こはく色および黄土色からなる群より選択されるいずれか１色に着色されていること；
前記カバー層が不織布、織布および紙からなる群より選択される少なくとも１種からなること；
前記カバー層がプラスチックフィルムからなり、その表面がマット加工されていること；
が好ましい。
【考案の効果】
【００１３】
本考案のネイルシールは、費用、時間、手間をかけることなく、誰でも簡単にネイルアートを一時的に隠すことができ、しかも必要な時にはネイルアートを再度使用することが可能である。
【図面の簡単な説明】
【００１４】
【図１Ａ】本考案のネイルシールの一の実施形態を模式的に示す平面図である。
【図１Ｂ】図１Ａに示すネイルシールのＡ−Ａ’断面を模式的に示す断面図である。
【図２Ａ】本考案のネイルシールの別の実施形態を模式的に示す平面図である。
【図２Ｂ】図２Ａに示すネイルシールのＢ−Ｂ’断面を模式的に示す断面図である。
【図３】図１Ａに示すネイルシールの他の実施形態を示す平面図である。
【図４Ａ】図１Ａに示すネイルシールを爪の表面に貼付する前の状態を模式的に示す斜視図である。
【図４Ｂ】図１Ａに示すネイルシールを爪の表面に貼付した後の状態を模式的に示す斜視図である。
【考案を実施するための形態】
【００１５】
以下、図面を参照しながら、本考案を実施するための形態について具体的に説明する。ただし、本考案はその特定事項を満たす全ての実施形態を包含するものであり、以下に示す実施形態のみに限定されるものではない。
【００１６】
［１］本考案のネイルシールの特徴：
本考案のネイルシールは、爪の形状を平面展開させた形状に形成され、爪の表面に貼付して用いる点に特徴がある。このように、シールの形態を採用したことで、費用、時間、手間をかけることなく、誰でも簡単にネイルアートを一時的に隠すことができ、しかも必要な時にはネイルアートを再度使用することが可能となる。
【００１７】
また、本考案のネイルシールは、
（１）前記粘着層のＪＩＳＫ６８５４−２に準拠して測定される粘着力が６．９（Ｎ／２５ｍｍ）以上１８．８（Ｎ／２５ｍｍ）以下である点；
（２）前記カバー層の表面が非光沢な表面である点；
（３）前記カバー層の表面が下記（ｘ）ないし（ｚ）の条件を満たす色に着色されている点；
（ｘ）マンセル表色系における色相が赤（Ｒ）、黄赤（ＹＲ）または黄（Ｙ）に属すること。
（ｙ）マンセル表色系における明度が５以上８．５以下であること。
（ｚ）マンセル表色系における彩度が１．５以上７．５以下であること。
に特徴がある。
【００１８】
前記（１）の構成を採用することにより、８時間程度、通常の生活を行ってもネイルシールが剥離したり、爪の表面から浮き上がったりしない程度の粘着性を発揮させることができることに加え、女性の力でも容易に剥離させることができ、剥離の際、ネイルアートが剥がれたり、傷つけられることがない。また、前記（２）の構成を採用することにより、ネイルシール表面での光の反射が抑えられ、ネイルシールが目立たなくなる。更に、前記（３）の構成を採用することにより、ネイルシールの表面が日本人をはじめとするモンゴロイドの肌の色に類似する色となり、ネイルシールが目立たなくなる。ネイルシールでネイルアートを隠蔽しても、ネイルシール自体が目立ってしまうと、爪の表面に彩色や装飾を施したのと何ら変わらず、ネイルアートを隠蔽した効果が減殺されてしまう。前記（２）および（３）の構成を採用することで、ネイルシール自体は目立たなくなるため、爪が華美であるとの心証を持たれることはなくなる。
【００１９】
なお、特許文献１に示されるような従来のネイルシールは、ネイルアートの代替手段にすぎず、専ら彩色や装飾を目的とするものである。従って、本考案のネイルシールのように、ネイルシールを目立たなくし、爪が華美であるとの心証を持たれ難くなる、という効果を得ることはできない。
【００２０】
［２］本考案のネイルシールの構成：
以下、図１Ａおよび図１Ｂに示すネイルシール１を例に、本考案のネイルシールの構成を説明する。ネイルシール１は、爪の形状を平面展開させた形状に形成されている。「爪の形状を平面展開させた形状」とは、湾曲形状の爪を平面的に伸ばしたような形状を意味する。ネイルシール１は、カバー層２と、カバー層２の裏面側に配置される粘着層４と、を備えている。
【００２１】
［２−１］カバー層：
カバー層２は、ネイルシール１のうち、最も表側に位置する層である。このカバー層２の表面は非光沢な表面である。ここにいう「非光沢」とは、表面光沢がないこと、カバー層の表面に光が当たっても光の反射が抑えられることを意味する。カバー層２は不織布によって構成されている。カバー層を不織布のような繊維質の素材で構成することで、カバー層の表面を非光沢な表面とすることができる。
【００２２】
ただし、カバー層は必ずしも不織布で構成する必要はなく、他の材質で構成してもよい。例えば、カバー層がプラスチックフィルムからなり、その表面がマット加工されている形態も好ましい形態の一つである。「マット加工」とは、素材の表面に細かい傷をつけるつや消し加工である。表面が平滑で光を反射しやすいプラスチックフィルムをカバー層の素材として用いる場合は、そのプラスチックフィルムにマット加工を行うことが好ましい。
【００２３】
なお、カバー層は爪の湾曲形状に追従しやすい程度の柔軟性を有するように、材質や厚さを調整することが好ましい。
【００２４】
カバー層の表面は下記（ｘ）ないし（ｚ）の条件を全て満たす色に着色されていることが必要である。
（ｘ）マンセル表色系における色相が赤（Ｒ）、黄赤（ＹＲ）または黄（Ｙ）に属すること。
（ｙ）マンセル表色系における明度が５以上８．５以下であること。
（ｚ）マンセル表色系における彩度が１．５以上７．５以下であること。
【００２５】
「表色系」とは、色を定量的に表すための体系である。そして、「マンセル表色系」はＪＩＳＺ８７２１で規格化された、色彩を色相、明度、彩度の３つのパラメータで表現する体系である。
【００２６】
マンセル表色系においては、ある色の色相を赤（Ｒ）、黄赤（ＹＲ）、黄（Ｙ）、黄緑（ＧＹ）、緑（Ｇ）、青緑（ＢＧ）、青（Ｂ）、紫青（ＰＢ）、紫（Ｐ）、赤紫（ＲＰ）の基本色１０色で表現する。これらの基本色１０色はこの記載順で円環状に並べられ、色彩環を構成している。各基本色は１０分割されていて、より細かく色彩を表現できるようになっている（例えば、３ＹＲ、５ＹＲのように表現する）。
【００２７】
カバー層の表面はマンセル表色系における色相が赤（０Ｒから１０Ｒ）、黄赤（０ＹＲから１０ＹＲ）または黄（０Ｙから１０Ｙ）に属する色に着色されている。より具体的には、色彩環における赤（１０Ｒ）、黄赤（０ＹＲから１０ＹＲ）、黄（０Ｙから２．５Ｙ）に属する色であることが好ましく、赤（１０Ｒ）、黄赤（０ＹＲから１０ＹＲ）に属する色であることが更に好ましい。これらの色は暖色であり、日本人をはじめとするモンゴロイドの肌の色に馴染みやすい点において好ましい。
【００２８】
一方、これらの色と補色の関係にある青味を帯びた色、 例えば、マンセル表色系における色相が黄緑（ＧＹ）、緑（Ｇ）、青緑（ＢＧ）、青（Ｂ）、紫青（ＰＢ）、紫（Ｐ）、赤紫（ＲＰ）に属する色は爪の肌色に馴染まず、却ってネイルシール自体が目立ってしまうおそれがある。
【００２９】
また、カバー層の表面はマンセル表色系における明度が５以上８．５以下の色に着色されている。明度が高い色は白の配合比率が高い、明るい淡色である。明度を５以上に高めることで、その色は白の配合比率が高い、明るい淡色となり、濃色と比較してネイルシール自体を目立たなくさせることができる。一方、明度を８．５以下とすることで、白の配合比率が高くなりすぎることを防ぎ、ネイルシールの色が白くなり過ぎて、却ってネイルシール自体が目立ってしまう事態を有効に防止する効果がある。
【００３０】
更に、カバー層の表面はマンセル表色系における彩度が１．５以上７．５以下の色に着色されている。彩度を７．５以下と低くすることで、色の鮮やかさを抑え、純色と比較してネイルシール自体を目立たなくさせることができる。一方、彩度を１．５以上とすることで、無彩色（灰色）の配合比率が高くなりすぎることを防ぎ、ネイルシールの色が鮮やかさを失って、却ってネイルシール自体が目立ってしまう事態を有効に防止する効果がある。
【００３１】
更にまた、前記カバー層の表面が、ＪＩＳ慣用色名に言う、シェルピンク、ネールピンク、ピーチ、肌色、アプリコット、タン、エクルベイジュ、土色、小麦色、こはく色、卵色、ベージュ、黄土色、カーキー、ブロンド、象牙色およびネープルスイエローからなる群より選択されるいずれか１色に着色されていることが好ましい。これらの色は、前記色相、前記明度および前記彩度の全ての条件を満たす。
【００３２】
（ａ）シェルピンク（色相：１０Ｒ、明度：８．５、彩度：３．５）
（ｂ）ネールピンク（色相：１０Ｒ、明度：８、彩度：４）
（ｃ）ピーチ（色相：３ＹＲ、明度：８、彩度：３．５）
（ｄ）肌色（色相：５ＹＲ、明度：８、彩度：５）
（ｅ）アプリコット（色相：６ＹＲ、明度：７、彩度：６）
（ｆ）タン（色相：６ＹＲ、明度：５、彩度：６）
（ｇ）エクルベイジュ（色相：７．５ＹＲ、明度：８．５、彩度：４）
（ｈ）土色（色相：７．５ＹＲ、明度：５、彩度：７）
（ｉ）小麦色（色相：８ＹＲ、明度：７、彩度：６）
（ｊ）こはく色（色相：８ＹＲ、明度：５．５、彩度：６．５）
（ｋ）卵色（色相：１０ＹＲ、明度：８、彩度：７．５）
（ｌ）ベージュ（色相：１０ＹＲ、明度：７、彩度：２．５）
（ｍ）黄土色＜イエローオーカーとも言＞（色相：１０ＹＲ、明度：６、彩度：７．５）
（ｎ）カーキー（色相：１Ｙ、明度：５、彩度５．５）
（ｏ）ブロンド（色相：２Ｙ、明度：７．５、彩度：７）
（ｐ）象牙色＜アイボリーとも言う＞（色相：２．５Ｙ、明度：８．５、彩度：１．５）
（ｑ）ネープルスイエロー（色相：２．５Ｙ、明度：８、彩度：７．５）
【００３３】
前記カバー層の表面は、下記（ｘ１）ないし（ｚ１）の条件を満たす色に着色されていることが更に好ましい。
（ｘ１）マンセル表色系における色相が１０Ｒから５ＹＲに属すること。
（ｙ１）マンセル表色系における明度が８であること。
（ｚ１）マンセル表色系における彩度が３．５以上５以下であること。
【００３４】
これらの条件を満たす色は、明度が比較的高く、彩度が比較的低いエリアに属し、日本人をはじめとするモンゴロイドの肌の色に近い、いわゆる肌色およびこれに近似する色である。カバー層をこのような色で着色することにより、カバー層が肌の色と同化し、爪の部分を目立たなくさせることができる。具体的には、前記カバー層の表面が、ＪＩＳ慣用色名に言う、ネールピンク、ピーチおよび肌色からなる群より選択されるいずれか１色に着色されていることが好ましい。
【００３５】
前記カバー層の表面は下記（ｘ２）ないし（ｚ２）の条件を満たす色に着色されていることも好ましい。
（ｘ２）マンセル表色系における色相が６ＹＲから１０ＹＲに属すること。
（ｙ２）マンセル表色系における明度が５以上７以下であること。
（ｚ２）マンセル表色系における彩度が５以上７以下であること。
【００３６】
これらの条件を満たす色は、明度が比較的低く、 彩度が比較的高いエリアに属し、日本人をはじめとするモンゴロイドのくすんだ肌の色に近い、いわゆる小麦色およびこれに近似する色である。カバー層をこのような色で着色することにより、比較的年齢層が高い人に適合したネイルシールとすることができる。即ち、比較的年齢層が高い人は肌の色がくすみがちであるため、カバー層をこのような色で着色することにより、カバー層が比較的年齢層の高い人のくすんだ肌の色と同化し、爪の部分を目立たなくさせることができる。具体的には、前記カバー層の表面が、ＪＩＳ慣用色名に言う、アプリコット、タン、土色、小麦色、こはく色および黄土色からなる群より選択されるいずれか１色に着色されていることが好ましい。
【００３７】
［２−２］粘着層：
粘着層４はネイルシール１のうち、最も裏側に位置する層である。粘着層には爪の表面にネイルシールを貼付したら、８時間程度、通常の生活を行ってもネイルシールが剥離したり、爪の表面から浮き上がったりしない程度の粘着性があることが好ましい。また、ネイルシールが不要になった際にはネイルアートの装飾（塗膜やビーズパーツ等）にダメージを与えることなく、女性の力でも容易にネイルシールを剥離することができる程度の再剥離性を有することが好ましい。
【００３８】
具体的には、粘着層のＪＩＳＫ６８５４−２に準拠して測定される粘着力が６．９（Ｎ／２５ｍｍ）以上１８．８（Ｎ／２５ｍｍ）以下であることが必要であり、６．９（Ｎ／２５ｍｍ）以上１２．７５（Ｎ／２５ｍｍ）以下であることが好ましい。粘着力を６．９（Ｎ／２５ｍｍ）以上とすることで、８時間程度、通常の生活を行ってもネイルシールが剥離したり、爪の表面から浮き上がったりせず、手洗いで水が接触しても剥離しない程度の粘着性を発揮させることができる。
【００３９】
一方、粘着力を１８．８（Ｎ／２５ｍｍ）以下とすることで、ネイルシールが不要になった際にはネイルアートの装飾（塗膜やビーズパーツ等）にダメージを与えることなく、ネイルシールを剥離することができる程度の再剥離性を発揮させることができる。但し、ネイルアートの装飾（塗膜やビーズパーツ等）にダメージを与える可能性を可能な限り低くし、かつ、女性の力でも容易にネイルシールを剥離することができる程度の再剥離性を発揮させるためには、粘着力を１２．７５（Ｎ／２５ｍｍ）以下とすることが好ましい。
【００４０】
粘着層を構成するための粘着剤は、通常、シールの粘着層に用いられる粘着剤の中から適宜選択すればよく、その種類は特に限定されない。例えば、ゴム系粘着剤、アクリル系粘着剤、シリコーン系粘着剤等の中から、前記の粘着力を満たす再剥離性粘着剤を適宜選択して用いればよい。
【００４１】
［２−３］補強層、中間粘着層：
本考案のネイルシールは、少なくともカバー層と粘着層を有していればよい。この場合、図１Ａおよび図１Ｂに示すネイルシール１のように、カバー層２の裏面に粘着層４が直接積層された構造となる。但し、爪の表面からネイルシールを剥離する際にネイルシールが千切れたりしないよう、図２Ａおよび図２Ｂに示すネイルシール１Ａのように、カバー層２および粘着層４に加えて、補強層６と、中間粘着層８と、を備えた構造としてもよい。ネイルシール１Ａは、カバー層２、中間粘着層８、補強層６および粘着層４が順次積層された構造を有している。
【００４２】
補強層の材質は特に限定されない。例えば、補強層が不織布またはプラスチックフィルムからなることが好ましい。但し、カバー層を補強するという観点から、補強層の材質としてはプラスチックフィルムを用いることが好ましい。プラスチックの種類は特に限定されない。例えば、ポリエチレンテレフタレート、ポリイミド等を好適に用いることができる。
【００４３】
中間粘着層はカバー層と補強層を相互に接着することができる限り、その構成は特に限定されない。例えば、先に説明した粘着層と同様の構成を採用することができる。但し、中間粘着層は爪の表面に貼付する部分ではないため、その粘着力を厳格に制御する必要はなく、粘着層のように再剥離性の粘着剤を用いる必要はない。
【００４４】
［２−４］その他：
本考案のネイルシールは、通常、剥離ライナーに貼付された形で提供される。このような形態で提供することにより、必要時に剥離ライナーからネイルシールを剥離して使用することができ、粘着層の粘着力が低下し難い。
【００４５】
図１Ａおよび図１Ｂに示すネイルシール１の場合であれば、ネイルシール１の粘着層４の側の面を剥離ライナー１０に貼付させた形で提供すればよい。剥離ライナー１０の構成は特に限定されない。例えば、紙からなる基材１２の表面にシリコーン系、長鎖アルキル系の剥離剤を塗工し、剥離層１４を形成したもの等を好適に用いることができる。
【００４６】
図３に示すように、サイズの異なるネイルシール１を複数枚、剥離ライナー１０に貼付してセット化する態様も好ましい。このような態様とすることで、親指から小指までの爪のサイズの違いや、人による爪のサイズの違いに対応することができる。
【実施例】
【００４７】
以下、実施例を用いて本考案をさらに具体的に説明する。ただし、本考案は以下の実施例で示す態様のみに限定されるものではない。
【００４８】
（実施例１−６、比較例１）
表１に示す各種粘着剤を用いて、図１Ａおよび図１Ｂに示したネイルシール１と同様の構造のネイルシールを製造し、その粘着力・剥離性を確認した。カバー層は不織布で構成した。粘着層の部分は市販の両面粘着テープを利用して構成した。カバー層は全て肌色に着色した。
【００４９】
（評価方法：手洗いなし）
前記ネイルシールを爪の表面に貼付し、手洗いは行わずに放置することにより、その粘着力・剥離性を評価した。８時間剥がれず、綺麗に剥離できた場合は極めて良好（◎）、８時間剥がれなかったが、強固に固着していて剥離するのに相当の力を要した場合はやや良好（○）、２−３時間で周囲が浮いてきた場合はやや不良（△）、３０分で周囲が浮いてきた場合は不良（×）とした。
【００５０】
（評価方法：手洗いあり）
前記ネイルシールを爪の表面に貼付し、手洗いを行った際の粘着力・剥離性を評価した。手洗い時に水に接触させても剥がれなかった場合は良好（○）、手洗い時に水に接触させると剥がれてしまった場合は不良（×）とした。
【００５１】
【表１】
0003222170.tif 000003
【００５２】
実施例１−４のネイルシールは、８時間、通常の生活を行っても、手洗いで水に接触させてもネイルシールが剥離したり、爪の表面から浮き上がったりせず、良好な粘着性を示した。特に、実施例１−３のネイルシールは、女性の力でも容易に剥離させることができ、剥離の際、ネイルアートが剥がれたり、傷つけられたりすることがなく、極めて良好な結果を示した。
【産業上の利用可能性】
【００５３】
本考案のネイルシールは、ネイルアートを一時的に隠蔽するためのネイルシールとして好適に利用することができる。
【符号の説明】
【００５４】
１：ネイルシール
２：カバー層
４：粘着層
６：補強層
８：中間粘着層
１０：剥離ライナー
１２：基材
１４：剥離層
２０：手
２２：指
２４：ネイルアート
【図１Ａ】
0003222170.tif 000004
【図１Ｂ】
0003222170.tif 000005
【図２Ａ】
0003222170.tif 000006
【図２Ｂ】
0003222170.tif 000007
【図３】
0003222170.tif 000008
【図４Ａ】
0003222170.tif 000009
【図４Ｂ】
0003222170.tif 000010